(57)【要約】【課題】通行の邪魔にならず、取り外し作業も簡単で、かつ防犯性能を損なうことも無いマンホール蓋を備えるマンホール構造を提供する。【解決手段】マンホール７の開口部８に配設された枠体９と、枠体９に支持されて開口部８の一部を閉塞する閉塞部、及びマンホール７内に配設された地下タンク５の給油口６に接続するための給油開口部を有する外蓋部材１０と、マンホール７内に向って凹状にくぼんで形成された凹部、及び凹部内に取設され把持可能な大きさに形成された取手部２０を有し給油開口部を閉塞する中蓋部材１１と、凹部にはめ込まれて取手部２０を視認不能に覆う部材であって、所定の磁性体に着磁する着磁部を有し、はめ込まれると中蓋部材１１の表面と同じ高さになる防犯蓋部材１２とを有する。【選択図】図１
0003142869.tif 000002
【実用新案登録請求の範囲】
【請求項１】
マンホールの開口部に配設された枠体と、
該枠体に支持されて前記開口部の一部を閉塞する閉塞部、及び、前記マンホール内に配設された貯蔵タンクの給油口に給油ホール等を接続するための給油開口部を有する外蓋部材と、
前記マンホール内に向って凹状にくぼんで形成された凹部、及び、該凹部内に設けられ把持可能な大きさに形成された取手部を有し前記給油開口部を閉塞する中蓋部材と、
前記凹部にはめ込まれて前記取手部を視認不能に覆う部材であって、磁石に着磁する着磁部を有し、はめ込まれると前記中蓋部材の表面と同じ高さになる防犯蓋部材と
を有することを特徴とするマンホール構造。
【請求項２】
前記貯蔵タンクの給油口を取り囲んで配設される有底筒状のプロテクターと、
該プロテクターの上部に固定可能であり前記プロテクター内を閉鎖状態にするプロテクター蓋と
をさらに有することを特徴とする請求項１に記載のマンホール構造。
【請求項３】
前記防犯蓋部材は、前記取手部の上方を覆う被覆部と、該被覆部から略垂直に延設され前記凹部内にはめ込まれる延設部とを有することを特徴とする請求項１または請求項２に記載のマンホール構造。
【考案の詳細な説明】
【技術分野】
【０００１】
本考案は、マンホール構造に関するものであり、特に、地下タンクの給油等のために設けられたマンホールを閉塞するためのマンホール蓋を含むマンホール構造に関するものである。
【背景技術】
【０００２】
従来より、ガソリンや灯油、軽油、重油等の液体は、地下の暗渠内に設置された地下タンクと呼ばれるタンク内に貯蔵されている。地下タンク上には、地上と暗渠内とを結ぶマンホールが形成されており、このマンホールを通して給油やメンテナンス等が行えるようになっている。そして、マンホールの上端部分（すなわち地上に開口している部分）にはマンホール蓋が設置されており、給油等の必要が無い時はマンホール内を閉塞できるようになっている。
【０００３】
地下タンクのマンホール蓋は、マンホール上端部に固定される枠体と、枠体にはめ込まれその一部に小径の開口部が設けられた外蓋部材と、外蓋部材の開口部にはめ込まれる中蓋部材との３つのパーツから一般に構成されている。給油時には、比較的小径である中蓋部材のみが持ち上げられ、取り外される。清掃等のメンテナンスが必要な時は、まず中蓋部材が取り外され、それによって開放された開口部の縁部分に手をかけて外蓋部材を持ち上げ、取り外される。このように、蓋部材が外蓋部材と中蓋部材との二重構造になっているのは、給油時にはホース等を差し入れるための比較的小さな開口しか必要ではなく、その度に蓋全体を開け閉めするのは取り回しが不便で迂遠だからである。従って、メンテナンス等で必要が生じた場合のみ蓋部材全体が取り外せるように構成されているのである。
【０００４】
ここで、従来の中蓋部材の取り外し方法について、より具体的に説明する。従来の中蓋部材には、小型の突起物や小径の孔部が設けられている。作業者は、この突起物や孔部に専用の工具を差し込んで係止させ、中蓋部材を持ち上げるのである。この工具の形状は、係止部の形状や中蓋部材の重さに応じて種々のものが提案されてきた。なお上記では、説明を簡略化するために外蓋部材の開口部及び中蓋部材の形状を「小径」と称しているが、その形状は円形のものには限定されない。長方形や略正方形のものなど、様々なものが存在している。
【０００５】
以上の従来技術は、当業者において当然として行われているものであり、出願人は、この従来技術が記載された文献を知見していない。
【考案の開示】
【考案が解決しようとする課題】
【０００６】
ところで、給油作業をより便利にするためには、中蓋部材の取り外し方法をもっと簡単にしたいという要望があった。例えば、人手でつかめるような大きな取手を中蓋部材に取り付ければ、専用の工具を使わなくても中蓋部材を取り外せるようになる。しかし、人手でつかめるような大きな取手を取り付けると、蓋上での通行の邪魔になるという問題があった。さらに、専用の工具無しに掴むことができるので、悪意ある第三者によって中蓋部材が安易に取り外され易くなる。よって、取手を取り付けることは防犯上の観点からも問題があった。
【０００７】
そこで、本考案は、上述の問題に鑑み、通行の邪魔にならず、取り外し作業も簡単で、かつ防犯性能を損なうことも無いマンホール蓋を備えるマンホール構造の提供を課題とする。
【課題を解決するための手段】
【０００８】
本考案に係るマンホール構造は、「マンホールの開口部に配設された枠体と、該枠体に支持されて前記開口部の一部を閉塞する閉塞部、及び、前記マンホール内に配設された貯蔵タンクの給油口に給油ホール等を接続するための給油開口部を有する外蓋部材と、前記マンホール内に向って凹状にくぼんで形成された凹部、及び、該凹部内に設けられ把持可能な大きさに形成された取手部を有し前記給油開口部を閉塞する中蓋部材と、前記凹部にはめ込まれて前記取手部を視認不能に覆う部材であって、磁石に着磁する着磁部を有し、はめ込まれると前記中蓋部材の表面と同じ高さになる防犯蓋部材とを有する」ことを特徴とする。
【０００９】
ここで、取手部について「該凹部内に設けられ」とは、ビス等の所定の固定金具や接着剤を用いて別体で作成された取手部を凹部内に取設する方法のみならず、凹部と取手部とを同一素材で一体的に形成する方法等が例示できる。
【００１０】
本考案のマンホール構造では、中蓋部材に取手部が設けられている。従って、専用の工具を用いることなく中蓋部材を取り外すことができるので、取り外し作業が簡単になる。また、本考案のマンホール構造は、さらに防犯蓋部材を有しているから、取手部を視認不能に覆うことが可能である。これにより、第三者の目から取手部を隠蔽し、いたずらを防止することができる。また、防犯蓋部材は、はめ込まれると中蓋部材の表面と同じ高さになるよう構成されている。すなわち、マンホール蓋の表面にくぼんだ部分が残らないので、マンホール蓋上の通行を安全なものにしている。
【００１１】
一方、本考案の防犯蓋部材には、着磁部が設けられているから、磁石を着磁させることが可能である。よって、専用の工具を差し入れる突起や孔などを設けなくても、着磁部に着磁させた磁石ごと上方に持ち上げることで、防犯蓋部材を中蓋部材から取り外すことができる。
【００１２】
ところで、取手部を把持して中蓋部材を持ち上げる際には、重量に留意する必要があった。あまりに重くなりすぎると、人手で持ち上げることが困難になるからである。そこで、耐荷重性能をクリアする範囲内において、できるだけ中蓋部材（またはマンホール蓋全体）を軽量化したいという要望があった。
【００１３】
しかし、たとえ耐荷重性能をクリアしたとしても、軽量化には別の問題があった。すなわち、防水性能である。中蓋部材（またはマンホール蓋全体）は、その自重によって周縁部に設けられたパッキン等を押しつぶして雨水等の浸入を防いでいる。よって、中蓋部材が軽量化されるとその防水性能が劣化し、マンホール内への浸水を許してしまうという問題があった。
【００１４】
そこで、地下タンクの給油口に有底筒状のプロテクターを設け、このプロテクター上に傘状の蓋を載置するという方法が考えられる。そして、プロテクターとマンホール内壁との間に排水溝を設け、マンホール内に浸入した水を排水溝より排水するのである。こうすることで、水がプロテクター内に入り込むことを防止し、タンク給油口やオイル管等を錆びないよう防水することができる。
【００１５】
ところが、この方法にも防水上の更なる問題があった。それは、大雨や洪水のように大量の水が流れ込んだ場合である。流れ込んだ水が排水溝の排水能力を超える量であると、排水溝を逆流してマンホール内に浸水してしまう。そうすると、ただ載置しただけのプロテクター蓋は浮力によって浮き上がり、プロテクター内への浸水を許してしまうという問題があった。
【００１６】
そこで、本考案のマンホール構造において、「前記貯蔵タンクの給油口を取り囲んで配設される有底筒状のプロテクターと、該プロテクターの上部に固定可能であり前記プロテクター内を閉鎖状態にするプロテクター蓋とをさらに有する」ものとすることができる。
【００１７】
ここで、「固定可能」とは、ネジなどの所定の固定金具を用いてプロテクター蓋をプロテクターに対して着脱可能な状態で固定するものでも良いし、プロテクターとプロテクター蓋との何れか一方に（または双方に）フック状の係止手段を設け、プロテクターに対してプロテクター蓋を着脱可能な状態で固定するものでも良い。要するに、プロテクター蓋が浮力によって浮き上がらないよう固定できるものであれば良い。
【００１８】
従って、本考案のマンホール構造には、プロテクターの上部に固定可能なプロテクター蓋が具備されている。よって、大雨や洪水時の場合であっても、プロテクター蓋が浮き上がらないよう固定することができるので、プロテクター内への浸水を防止して給油口を防水できる。これにより、耐荷重性能をクリアする範囲内においてできるだけ中蓋部材を軽量化することが可能となる。
【００１９】
また、本考案のマンホール構造において、「前記防犯蓋部材は、前記取手部の上方を覆う被覆部と、該被覆部から略垂直に延設され前記凹部内にはめ込まれる延設部とを有する」ものとすることができる。
【００２０】
本考案のマンホール構造では、防犯蓋部材に延設部が設けられている。よって、防犯蓋部材を中蓋部材の凹部にはめ込むと、凹部内に延設部が配置されるので、隙間からゴミや水、小石等が凹部内に侵入して蓄積することを防止するできる。
【００２１】
さらに、延設部によって、防犯蓋部材の防犯性能をより高めることに成功している。つまり、延設部は、取手部の上方を覆う被覆部から略垂直に延設されているから、防犯蓋部材を凹部内から取り外す際に、略鉛直以外の方向へと引き上げることができなくなっている。鉛直以外の方向、すなわち斜め方向に引き上げようとすると、延設部が凹部の内壁に干渉して引っ掛かり、凹部内から引き抜くことができなくなるからである。従って、悪意ある第三者がバール等をこじ入れて、着磁する以外の手段で防犯蓋部材を取り外そうとしても、容易には凹部内から引き抜くことができない。よって、延設部により防犯性能が高まっている。また、延設部が設けられていることにより、略鉛直以外の方向へと引き上げることができなくなっているから、マンホール蓋上を自転車等が通行した場合も防犯蓋部材がめくれあがりにくい。これにより、安全性も向上している。
【考案の効果】
【００２２】
以上のように、本考案のマンホール構造によれば、取手部が設けられているので、大型の専用工具を用いずとも中蓋部材を開放できる。これにより、取り扱いが容易なマンホール構造を提供できる。また、防犯蓋部材を有しているから、取手部を視認不能に覆うことが可能である。これにより、防犯性能の高いマンホール構造を提供できる。さらに、防犯蓋部材をはめ込むことによって、マンホール蓋の表面にくぼんだ部分が残らないよう構成されているので、マンホール蓋上の通行をさらに安全なものにしている。
【考案を実施するための最良の形態】
【００２３】
以下、本考案の実施形態であるマンホール構造について、図１乃至図５に基づいて説明する。図１はマンホール構造を模式的に示した断面図であり、図２はマンホール構造におけるマンホール蓋の平面図であり、図３はマンホール蓋の分解斜視図であり、図４はマンホール構造の使用方法を示す説明図であり、図５は図１のＢ−Ｂ断面の一部を示す説明図である。
【００２４】
本考案のマンホール構造１は、図１に示すように、マンホール蓋２と、プロテクター３と、プロテクター蓋４とを有している。マンホール蓋２は、地下タンク５の給油口６上に設けられたマンホール７の開口部８を閉塞するものである。ここで、「地下タンク５」が、本考案の「貯蔵タンク」に相当する。なお、マンホール蓋２の断面については、図２のＡ−Ａ断面部を抽出して示している。
【００２５】
マンホール蓋２は、より詳細には図２及び図３に示すように、枠体９と、外蓋部材１０と、中蓋部材１１と、防犯蓋部材１２とを有して構成されている。マンホール蓋２を構成するこれらの各部材は、本例では鋳鉄の一種であるダクタイル鋳鉄（いわゆるＦＣＤ）を主材料として構成されているが、この他通常の鋳鉄（いわゆるＦＣ）や鉄、木、コンクリート、合成樹脂等、所定の耐荷重性能をクリアできるものであればその材料には特に限定されない。
【００２６】
枠体９は、後述する外蓋部材１０を支持するものであり、マンホール７（図１参照。以下同じ）の開口部８（図１参照。以下同じ）に配設されている。構成としては、地面１３（図１参照。以下同じ）に対して固定される第一フランジ部９ａと、その上面に外蓋部材１０を載置する第二フランジ部９ｂとを備えており、第一フランジ部９ａには、図略の係止部材を貫通させるための貫通孔１４が８箇所穿設されている。貫通孔１４には、ボルトやビス等の所定の係止部材（図示は省略している）を貫通させ、枠体９全体を地面１３に対して固定することができる。
【００２７】
外蓋部材１０は、枠体９に支持されて開口部８の一部を閉塞する部材であり、閉塞部分を構成する閉塞部１５と、給油開口部１６とを有している。閉塞部１５は、外形が直径約８００ｍｍの略円形状であり、その表面には、複数の凹部と凸部とが格子状に並んだ凹凸断面形状を有する滑り止め部１７と、地下タンク５（図１参照。以下同じ）の銘柄等を示す文字が刻印された文字刻印部１８とが形成されている。また、外蓋部材１０の重量は、約３３ｋｇである。給油開口部１６は、マンホール７内に配置された給油口６（図１参照。以下同じ）に給油ホール等を差し入れて接続するための開口部であり、外蓋部材１０の略中央付近に直径約４５０ｍｍ程度の円形状で設けられている。
【００２８】
中蓋部材１１は、給油開口部１６を閉塞する部材であり、凹部１９と、凹部１９内に設けられた手部２０とを有している。中蓋部材１１の外形は、給油開口部１６に合致するように直径約４５０ｍｍ程度の円形状で形成されている。その表面には、外蓋部材１０の滑り止め部１７と同じ構成の滑り止め部２１が形成されており、さらに、水はけを良くするための溝２２が４箇所設けられている。また、中蓋部材１１の重量は、約２１ｋｇである。凹部１９は、より詳細には図５（ａ）に示すように、中蓋部材１１の表面側からマンホール７内に向って凹状にくぼんで形成されており、その外形は有効直径Ｋで約１１２ｍｍ程度、深さＤは約３７ｍｍ程度である。従って、一般的な大きさの大人の手であればスムーズに差し込むことが可能である。そして、凹部１９内には、取手部２０が取設されている。取手部２０は、中蓋部材１１と一体的に形成されており、中蓋部材１１の表面から突出しない高さで、かつ後述する防犯蓋部材１２の被覆部２３厚みＴ分を差し引いた高さに配置されている。このように配置することにより、防犯蓋部材１２をはめ込んだ際に、中蓋部材１１と防犯蓋部材１２との表面高さが同じになることを可能としている。なお、図５（ａ）は、図２のＢ−Ｂ断面を示しているが、説明を簡単にするために、その一部を省略して図示している。
【００２９】
防犯蓋部材１２は、図５（ａ）に示すように、凹部１９にはめ込まれて取手部２０を視認不能に覆う部材であり、取手部の上方を覆う被覆部２３と、被覆部２３から略垂直に延設され、凹部１９内にはめ込まれる延設部２４とを有している。なお、本例においては、被覆部２３を含む防犯蓋部材１２全体がダクタイル鋳鉄より形成されているから、被覆部２３は、磁石を着磁する着磁部としても機能している。防犯蓋部材１２の重量は、約２．５ｋｇである。被覆部２３は、凹部１９の開口部分と略一致するよう形成されており、直径約１２５ｍｍの略円盤状をしている。その厚みＴは、約７ｍｍ程度である。延設部２４は、被覆部２３から略垂直に延設された部材で、凹部１９内を充填するようにはめ込まれる。また、はめ込んだ際に、中蓋部材１１の取手部２０に干渉しないように、切り込み部２５が設けられている。
【００３０】
なお、着磁部の構成としては、上述の構成には限定されない。例えば、防犯蓋部材１２全体を公知の合成樹脂で作成し、この防犯蓋部材１２の一部に所定の磁性体を貼着する（または埋設する）方法でも構わない。そうすると、より軽量な防犯蓋部材１２を作成することも可能である。但し、上記のように防犯蓋部材１２全体をダクタイル鋳鉄で構成すると、中蓋部材１１等と同材料で形成できるので作成工程が簡略化できると共に、防犯蓋部材１２自体の構成もシンプルにできるという利点がある。
【００３１】
また、本考案のマンホール構造１には、図１に示すように、プロテクター３と、プロテクター蓋４とがさらに備えられている。プロテクター３は、地下タンク５の給油口６を取り囲んで配設される有底筒状の部材であり、給油口６等から誤って漏出したオイルを一時的に収容する機能を有する。プロテクター３とマンホール７の内壁との間には、所定の間隙２８が形成されている。マンホール７内に侵入した雨水等は、後述するプロテクター蓋４上を伝って間隙２８に集められ、地中へと排水されるよう構成されている。
【００３２】
プロテクター３の上部開口部には、繊維強化プラスチック（いわゆるＦＲＰ）で形成されたプロテクター蓋４が取設されている。プロテクター蓋４は、全体として外周ほど低くなるよう形成されたいわゆる傘状であり、プロテクター３の上部開口部に当接する円環板状の外蓋４ａと、外蓋４ａの内周縁を塞ぐ内蓋４ｂとから構成されている。外蓋４ａは、係止部材２６によってプロテクター３に対し着脱可能な状態で係止されている。係止部材２６としては、本例では公知の蝶ボルトを使用しているので、特段の工具を使わなくても手で着脱することが可能である。内蓋４ｂは、係止部材２７により外蓋４ａに対して着脱可能に係止されている。係止部材２７の構成は、本例では係止部材２６と同様である。
【００３３】
なお、本例では、「係止部材２６」によってプロテクター蓋４をプロテクター３に対して固定しているが、この構成には限定されない。例えば、プロテクター３とプロテクター蓋４とにそれぞれ対応する係止部及び被係止部等を設け、これらを合致させることで固定させるものでも良い。要するに、浮力でプロテクター蓋４が浮き上がらないよう固定できるものであれば、上記の構成には限定されない。
【００３４】
続いて、図１及び図４に基づいて、本例のマンホール構造１の使用方法について説明する。本例のマンホール構造１は、図１に示すように、ガソリン等の液体を貯蔵するための地下タンク５に取設されるものである。本例のマンホール構造１に使用されるマンホール蓋２は、取手部２０を把持して持ち上げることで中蓋部材１１を取り外すことができる。しかし、給油作業などを行わない平常時は、例えば図２に示すように、防犯蓋部材１２の被覆部２３によって取手部２０が視認不能な状態に覆われている。従って、マンホール蓋２の構造を知らない第三者には、容易には開放する方法が判らないよう考慮されている。ガソリン等を給油する際は、図４（ａ）に示すように、まず、市販のハンドル付きマグネット２９を防犯蓋部材１２の被覆部２３に着磁させる。被覆部２３は、ダクタイル鋳鉄より形成されていることから、着磁部としても機能する。マグネット２９の種類としては特に限定されず、ネオジオ磁石やフェライト磁石等が例示できるが、少なくとも２．５ｋｇ程度の防犯蓋部材１２を着磁したまま持ち上げ可能である磁力を有するものが好ましい。ここで、「マグネット２９」が、本考案の「磁石」に相当する。
【００３５】
次に、マグネット２９のハンドル部分を把持して略垂直方向に持ち上げる。すると、図４（ｂ）に示すように、マグネット２９に着磁した防犯蓋部材１２が、マグネット２９と一緒に上方へ持ち上げられる。これにより、被覆部２３によって被覆されていた取手部２０が露出して視認可能となる。ここで、中蓋部材１１の凹部１９の内径サイズと、防犯蓋部材１２の被覆部２３の外形サイズとは略一致するよう形成されているから、マグネット２９を用いた方法以外では、容易には防犯蓋部材１２を取り外せないようになっている。例えば、市販のバールやドライバーを、中蓋部材１１と防犯蓋部材１２との隙間に差し入れて無理にこじ開けようとしても、隙間がほとんど無いため極めて困難である。
【００３６】
また、仮にバール等を強引に差し入れることができたとしても、それだけでは防犯蓋部材１２を取り外すことは困難である。何故ならば、本例の防犯蓋部材１２は、被覆部２３から略垂直に延設された延設部２４を有しているからである。バール等を差し入れて被覆部２３をこじ開けようとすると、延設部２４が凹部１９の内壁に干渉する。よって、防犯蓋部材１２を凹部１９内より取り外すことは難しくなる。このように、悪意ある第三者がマンホール蓋２の構造について予測し得たとしても、正式な手順以外で防犯蓋部材１２を取り外すことは困難となるよう構成している。
【００３７】
次に、露出した取手部２０を把持し、中蓋部材１１を上方に持ち上げる。すると、図４（ｃ）に示すように、外蓋部材１０の給油開口部１６が開口する。これにより、プロテクター３（図１参照。以下同じ）に取設されたプロテクター蓋４の内蓋４ｂが露出する。地下タンク５（図１参照。以下同じ）内に給油したい場合は、係止部材２７を緩めて内蓋４ｂを外蓋４ａより取り外す。そして、内蓋４ｂを取り外すことで開放された給油口６（図１参照。以下同じ）にホースを差し入れて、地下タンク５内にガソリン等を補充する。
【００３８】
こうした給油作業の際に誤って漏出したガソリン等は、プロテクター３（図１参照。以下同じ）内に一時的に収容される。収容されたガソリン等を清掃除去したい場合は、図１及び図４（ｄ）に示すように、給油開口部１６に手をかけて外蓋部材１０を持ち上げることで可能となる。より詳細には、外蓋部材１０を取り外して係止部材２６を緩め、開口部８を開放する。こうすることで、人手で簡単にプロテクター３内を清拭することが可能となる。
【００３９】
本例では、清掃時には係止部材２６の螺合状態を解除するだけで簡単に外蓋４ａをプロテクター３より着脱することが可能である。それと同時に、開放する必要が無い状態では、外蓋４ａをプロテクター３に対して係止させておくことが可能である。例えば、大雨により大量の雨水がマンホール７内に浸水した場合でも、外蓋４ａが浮き上がって脱落することが無く、プロテクター３内の防水状態を維持することができる。よって、高い防水性能を維持しつつメンテナンスの容易性を向上させることに成功している。
【００４０】
このように、本考案のマンホール構造１によれば、中蓋部材１１に取手部２０が備えられているから、人手で中蓋部材１１を持ち上げて開放することが可能となる。これにより、大型の専用工具を用いずとも中蓋部材１１を開放できるので、取り扱いが容易なマンホール構造１を提供できる。また、防犯蓋部材１２が備えられているから、中蓋部材１１の取手部２０を視認不能な状態とすることができる。これにより、マンホール蓋２の構造を知らない第三者には、容易には開放する方法が判らないので、防犯性能を高めることができる。
【００４１】
さらに、本考案のマンホール構造１によれば、取手部２０は凹部１９内に設けられており、かつ防犯蓋部材１２は、はめ込まれると中蓋部材１１の表面と同じ高さになる構成されている。すなわち、マンホール蓋２の表面にくぼんだ部分が残らないよう構成されているので、自転車のタイヤや歩行者の足がひっかかるおそれがなく、マンホール蓋２上の通行を安全なものにしている。また、防犯蓋部材１２は、ダクタイル鋳鉄を主材料として形成されているから、特段の磁性体を付加せずとも全体として着磁性を帯びており、着磁部としても機能する。これにより、丈夫なだけでなくシンプルなマンホール蓋２を提供できる。
【００４２】
さらに、本考案のマンホール構造１によれば、プロテクター蓋４は係止部材２６によってプロテクター３に対し係止されている。よって、大雨や洪水時でも、プロテクター３内への浸水を防止して給油口６を防水できるので、耐荷重性能をクリアする範囲内においてできるだけ中蓋部材１１を軽量化することが可能となる。
【００４３】
また、本考案のマンホール構造１によれば、プロテクター３によって防水性が確保されているから、外蓋部材１０や中蓋部材１１を軽量化することができる。これにより、中蓋部材１１を大径化しても、十分に人手で取り扱える範囲内とすることができる。よって、中蓋部材１１を従来よりも大径化して、取り外した際に間口が広くてメンテナンスが容易なマンホール蓋２及びマンホール構造１を提供できる。
【００４４】
また、本考案のマンホール構造１によれば、防犯蓋部材１２と一体成型された延設部２４が設けられ、延設部２４の体積は凹部１９の空間体積の大半を占有する構造となっている。仮に、防犯蓋部材１２が設けられていない場合を想定すると、図５（ｂ）に示すように、凹部１９内に石や砂利、雨水等３０が蓄積されてしまうおそれがある。そうすると、これら石や砂利、雨水等３０が取手部２０を把持する際に邪魔になってしまうため、それらを排除する手間が生じる。これに対し、本考案では図５（ａ）に示すように、延設部２４が凹部１９内にはめ込まれるから、凹部１９内の空間は極めて小さくなり、石や砂利、雨水等３０が溜まりにくくなる。これにより、一層メンテナンス性の良いマンホール構造１の提供に資する。
【００４５】
さらに、本考案のマンホール構造１によれば、延設部２４が備えられているから、バール等をこじ入れて、着磁する以外の手段で防犯蓋部材１２を取り外そうとしても、容易には凹部１９内から引き抜くことができないよう構成されている。従って、より防犯性能の高いマンホール構造１を提供している。さらに、延設部２４が設けられていることにより、略鉛直以外の方向へと引き上げることができなくなっているから、マンホール蓋２上を自転車等が通行した場合もめくれあがりにくく、安全性能も高まっている。
【００４６】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４７】
すなわち、本例のマンホール構造１では、係止部材２６によってプロテクター３に係止されたプロテクター蓋４を例示したが、この構成には限定されない。係止部材２６を有さないプロテクター３及びプロテクター蓋４とマンホール蓋２とから構成されるマンホール構造１でも良いし、プロテクター３及びプロテクター蓋４を有さないマンホール構造１でも良い。
【００４８】
また、本例のマンホール構造１では、外蓋部材１０と中蓋部材１１とを具備するマンホール蓋２を例示したが、これらが一体となったマンホール蓋にも防犯蓋部材１２を取設することが可能である。すなわち、電気、ガス、水道、 消火栓、下水道等のマンホール蓋の一部に、凹部１９と同様のくぼみを設けて取手部２０及び防犯蓋部材１２に相当する構成を取設することも可能である。当然のことながら、これらのマンホール蓋には各々の規格が存在するため、取手部２０及び防犯蓋部材１２に相当する構成が許容されるかどうかは規格次第であるが、技術的には可能である。
【図面の簡単な説明】
【００４９】
【図１】本考案のマンホール構造を模式的に示した断面図である。
【図２】マンホール蓋の平面図である。
【図３】マンホール蓋の分解斜視図である。
【図４】マンホール構造の使用方法を示す説明図である。
【図５】（ａ）は図１のＢ−Ｂ断面の一部を示す説明図であり、（ｂ）は防犯蓋部材の他の形態を説明する説明図である。
【符号の説明】
【００５０】
１  マンホール構造
２  マンホール蓋
３  プロテクター
４  プロテクター蓋
５  地下タンク（貯蔵タンク）
６  給油口
７  マンホール
８  開口部
９  枠体
１０  外蓋部材
１１  中蓋部材
１２  防犯蓋部材
１５  閉塞部
１６  給油開口部
１９  凹部
２０  取手部
２３  被覆部（着磁部）
２４  延設部
２６  係止部材
２９  マグネット（所定の磁性体）
【図１】
0003142869.tif 000003
【図２】
0003142869.tif 000004
【図３】
0003142869.tif 000005
【図４】
0003142869.tif 000006
【図５】
0003142869.tif 000007
【手続補正書】
【提出日】平成20年4月24日(2008.4.24)
【手続補正１】
【補正対象書類名】図面
【補正対象項目名】図２
【補正方法】変更
【補正の内容】
【図２】
0003142869.tif 000008
【手続補正２】
【補正対象書類名】図面
【補正対象項目名】図３
【補正方法】変更
【補正の内容】
【図３】
0003142869.tif 000009
【手続補正３】
【補正対象書類名】図面
【補正対象項目名】図４
【補正方法】変更
【補正の内容】
【図４】
0003142869.tif 000010